(57)【要約】      （修正有）【課題】簡単な手順で、高価なＰＥラインを必要以上に無駄に使い破棄すること無く、安全で容易に結線前の準備が可能であり、回転振れがなく、余分なラインを巻き込むことなく確実に結線作業が行え、仕上げ作業時においては糸滑りがなく、断線もなく、素早く簡単に完璧に完了でき、結線後の残り糸の除去が容易に行え、小形で携帯し易い釣り糸の結線用具を提供する。【解決手段】釣り糸の結線用具１００は、軸１と、リング２と、リング２の抜け防止の止め環３を有し、軸１に穴ａが軸方向に貫通しており、軸１の外形とリング２の内径はテーパである。メインラインｍを穴ａを貫通させて、軸１の外周とリング２の穴の隙間に入れて、リング２をスライドさせることでメインラインｍを軸１とリング２に圧着させて、軸１とリング２を自己保持させた状態で結線用具１００を回転させ、遠心力でメインラインｍをリーダラインの外周に編込み締込む。【選択図】図４
2017086057.tif 000002
【特許請求の範囲】
【請求項１】
釣り糸のリーダーの外周表面の周りに、釣り具のリールに巻かれている、比較的に細い釣り糸であるメインラインを編み付けて、両糸を結線する際に用いる釣り糸の結線用具であって、釣り糸の結線用具本体の軸方向の中心に、メインラインを通し易い適度な大きさの貫通穴を設け、また、釣り糸の結線用具を回転させ使用するため、軸中心の貫通穴は振れ防止の貫通穴でもある。また、釣り糸の結線用具の重心は、回転させやすいように回転軌道円周の外側にあり、回転振れが起き難い形状である。外径が緩やかな角度のテーパーの軸（雄）と、軸の外周には、内径の角度が軸と同じ角度の逆のテーパー（雌）のリングを有し、このリングが抜け落ちないように止め環を軸先端部分に備え、軸とリングが数センチ軸方向前後にスライドが可能なため、リングを前部にスライドすると軸とリングの隙間が広がりメインラインを簡単にこの隙間に入れることが可能であり、またこの隙間にメインラインを入れ、軸をリングに押し込むとメインラインを簡単に保持固定が可能である。また、軸を逆方向に押しリングより抜くと結線後の残り糸の除去が容易に行えることを特徴とする釣り糸の結線用具。
【請求項２】
軸とリングの隙間に、メインラインを釣り糸の結線補助用具の穴出口より取り出して入れ、軸をリングの内径に押し込み合体することにより、軸の外径表面とリングの内径表面の接触面の摩擦抵抗により、軸とリングの隙間にあるメインラインを圧着し容易に保持固定が可能であることを特徴とする請求項１記載の釣り糸の結線用具。
【請求項３】
上記の軸は緩やかな角度のテーパーであり、リングの内径は軸と同じ角度の逆のテーパーである。軸は雄、リングは雌である。軸を後ろにスライドすると隙間が広がりメインラインを隙間に入れやすく、軸を前にスライドして押し込むと自己拘束のテーパーであり合体して使用することを特徴とする請求項１の釣り糸の結線用具。
【請求項４】
上記の釣り糸の結線用具の形状は、巻き付け作業時に回転軌道円周の外側に重心があり、わずかな力で回転でき、惰性で回し易く回転振れし難い形状を特徴とする請求項１記載の釣り糸の結線用具。
【請求項５】
上記の釣り糸の結線用具は、結線に必要な適度な重量を有することを特徴とする請求項１の記載の釣り糸の結線用具。
【発明の詳細な説明】
【技術分野】
【０００１】  本発明は、釣り糸のリーダーの外周表面の周りに、釣り具のリールに巻かれている比較的に細い釣り糸（メインライン）を巻きつけて結線するために用いる結線用具に関する。特には、パックラットノット（ＰＲノット）や同等の結線方法を安全かつ簡単に素早く行え、仕上げ作業（ハーフヒッチ数回、エンドノット）まで完了できる釣り糸の結線用具及び結線方法に関するものである。
【背景技術】
【０００２】  釣具のリールに巻く糸（メインライン）としては、遠投が出来ることや水の抵抗が少ないことから、細めの糸（例えば、ポリエチレン製の編み糸＝ＰＥライン）が使用される。そしてこの糸の先端に、太めの釣り糸（リーダー）（例えばナイロンやフロロカーボン製）をつないでルアーまたは釣り針等を結ぶ。そのルアーや釣り針に魚がかかった際に先端部の糸が、岩や貝、海藻、魚体などと擦れて切れることを防いでいる。【０００３】  メインラインとしては、軽く、しなやかで細く、引張強度を有する事が望ましいため、近年では、従来のナイロンラインの３倍以上の引張強度を有する、ＰＥラインが使用される割合が高まっているが、ＰＥラインには以下のような短所もある。
１）  表面がつるつるで滑り易く結線作業及び仕上げ作業が困難である。
２）  糸が細すぎるため結線作業時及び仕上げ作業時に素手で引っ張ると手を切り易い。
３）  糸を折り曲げると強度が低下し切れ易い。
４）  熱に対して非常に弱く強度が著しく低下する。
５）  根ズレ等、キズに対して非常に弱い。【０００４】  リーダーとしては磨耗に対する耐久性に優れたフロロカーボンラインや、ＰＥラインとの結線し易いナイロン系ラインを使用することが通常行われているが、以下のような問題点がある。
１）  ＰＥラインの引張強度に対応するため、リーダーとしてＰＥラインの３〜４倍程度      の直径のフロロカーボンライン、ナイロン系ラインを使用する事が多い。このよう      に両者の直径が極端に異なる場合、従来の結線方法では適さない。
２）  リーダーとＰＥラインを結線する場合、ＰＥライン表面の滑り易さから、ライン同      士の表面摩擦が少なく、従来の結線方法では糸抜けし易くなる。【０００５】  このような理由から、糸抜けの発生しない特殊な方法で結線する必要がある。そこで特殊な結線方法としてＦＧノット、ＳＦノット、ミッドノット、ＰＲノット等が提案された。これらの結線方法の中でも特にＰＲノットは、結線部分に大きな結び目を作らずに結線する方法の一つである。（例えば、特許文献１参照）【０００６】  ＰＲノットは重量のあるドラグ機能を備えた器具や、重量がある錘をリーダーの周辺で回転させ、メインラインであるＰＥラインを、リーダーの外周表面の周りに二重に巻きつけて形成される。ＰＲノット用の機能を備えた結線用具は多く考案され実用化されている。
【先行技術文献】
【特許文献】
【０００７】
【特許文献１】特開平２０１４−２３３２９０
【発明の概要】
【発明が解決しようとする課題】
【０００８】  従来の実用化されている釣り糸の結線用具においては、結線前の準備作業はＰＥラインを指で摘み、釣り糸の結線用具本体に数個あるＯリング部分の隙間に挿入することは、ＰＥラインがしなやかでつるつるしているので指から滑り困難である。また各Ｏリング間の隙間が、外周溝部分に圧入され非常に狭く、Ｏリングも厚接しているのでより硬くなり、Ｏリングの隙間にＰＥラインを簡単には挿入できない。よって、指二本か三本にＰＥラインを交互に数回巻き付け、ＰＥラインが指から滑らないようにし、Ｏリングの隙間に力強く挿入しなければならない。また数本の指にＰＥラインを巻き付け、Ｏリングの隙間に力強く挿入する作業は、ＰＥラインを巻きつけた指の血流を圧迫し指も痛く、ＰＥラインはしなやかで細いため、指の皮膚を傷つけることがあり危険である。特に、非力な女性や子供には、Ｏリングの隙間にＰＥラインを挿入する結線前の準備作業が困難という問題がある。【０００９】  また、従来の釣り糸の結線用具は、結線前準備において、ＰＥラインを数本の指に数回巻き付け、ＰＥラインを釣り糸の結線用具本体にある、Ｏリングの隙間に何回も交互にくり返し挿入し巻き付けて、ＰＥラインを保持するのであるが、高価なＰＥラインを結線に使用する長さ以上に無駄に使用して破棄してしまうという問題点がある。【００１０】ＰＥラインを釣り糸の結線用具のＯリング部分隙間に挿入し保持後、数センチから十数センチＯリングの隙間より余分なＰＥラインが必ず飛び出す。このＯリングの隙間より、飛び出している余分なＰＥラインが、リーダー外周部分にメインラインを、釣り糸の結線用具を用いて回転させ巻き付け作業時に、飛び出している余分なＰＥラインを巻き込み絡まり、結線作業が困難になる事が多々あり、幾度もくり返し結線前準備から結線作業を行わなければないという問題がある。【００１１】  また、結線作業時において、釣り糸の結線用具をリーダーの外周部で回転させ巻きつけるのであるが、釣り糸の結線用具の前部分に重心があり、なおかつ外形に平面部が二ヶ所あるため、巻き付け時に回転ぶれが発生し不規則な回転になり、巻き付け作業が非常に難しいという問題点がある。【００１２】  また、釣り糸の結線用具の数個あるＯリング部分に、ＰＥラインを力強く数回交互に交差させて巻き付け挿入して保持しているのであるが、仕上げ作業のハーフヒッチ、エンドノットの作業中において、Ｏリング部分に挿入しているＰＥラインが滑り出てきて、仕上げ作業のハーフヒッチ、エンドノットができなくなるという問題点がある。【００１３】  また、結線作業終了後、仕上げ作業のハーフヒッチ、エンドノットで力強く締め込むが、釣り糸の結線具の切り欠き溝の角部分で、ＰＥラインが擦れて断線してしまい再度結線作業を行わなくてならないという問題がある。【００１４】  また、結線作業終了後、釣り糸の結線用具の３個あるＯリングの隙間に、力強く数回交互に交差させて挿入したＰＥラインが複雑に絡まり、破棄すべきＰＥラインを除去するのが困難な状態になることが多々ある。この残り糸のＰＥラインの除去に手間取るため、余分な時間を費やし、時合いを逃すことがあるという問題点がある。
【課題を解決するための手段】
【００１５】  この発明の釣り糸の結線用具は、雄、雌のテーパー部分の接する面の摩擦抵抗により、ＰＥラインを完全に保持、固定するための雄のテーパーの軸と、外周に雌の内径がテーパーのリングを備え、このリングが抜け落ちないよう止め環を軸の先端部に装着し、メインラインを通し易い適度な穴が軸の軸方向に貫通しており、遠心力によりテンションを加えながら編み込み締め込むための適度な重量があり、なおかつバランスよく回転さすことが可能であり、結線作業の糸の巻き付け作業が容易に行えるように、回転軌道円周の外側に重心がある形状である。
【発明の効果】
【００１６】  本発明の釣り糸の結線用具は、従来からある釣り糸の結線用具（特開平２０１４−２３３２９０）よりも、機能性かつ作業性に優れたものであり、使用する年齢を問わず性別に関係なく、素早く簡単に指も痛くなく、高価なＰＥラインを必要以上に使うことなく、安全に短時間で結線前の準備作業が行え、結線作業時においては釣り糸の結線用具が回転振れなく、リーダーにメインラインの巻き付け作業が可能であり、仕上げ作業時にはメインラインが糸滑り断線をせず、仕上げ作業のハーフヒッチ、エンドノットが容易に行える様に作られている。また釣り糸の結線用具の残り糸の除去も容易に行え、ポケットにも収まる形態は、釣り道具の多種多様性の中において、コンパクトで携帯し易く、結線前の準備作業及び結線作業、そして仕上げ作業が簡単であるため喜ばれことと思われる。
【図面の簡単な説明】
【００１７】
【図１】  本発明の実施の形態を示す釣り糸の結線用具の図であり、図１（Ａ）は正面側より示す斜視図、図１（Ｂ）は下面側より示す斜視図ある。
【図２】  図１の釣り糸の結線用具を示す図であり、図２（Ａ）は正面図、図２（Ｂ）は上面図、図２（Ｃ）は下面図である。
【図３】  本発明の釣り糸の結線用具の正面断面図の拡大図である。
【図４】  本発明の釣り糸の結線用具の正面断面図を用いて結線前の準備作業を説明する図である。
【図５】  本発明の釣り糸の結線用具を用いた結線作業を示す説明図である。
【図６】  本発明の釣り糸の結線用具を用いた結線作業を示す説明図である。
【図７】  本発明の釣り糸の結線用具を用いた結線作業を示す説明図である。
【図８】  結線作業においてリーダーとメインラインの状態を示す説明図である。
【図９】  本発明の釣り糸の結線用具を用いた仕上げ作業を示す説明図である。
【図１０】  本発明の釣り糸の結線用具を用いた仕上げ作業終了後のメインラインとリーダーの状態を示す図である。
【発明を実施するための形態】
【実施例１】
【００１８】  図１は、本発明の実施の形態を示す釣り糸の結線用具の図であり、図１（Ａ）は上面側より示す斜視図であり、図１（Ｂ）は下面側より示す斜視図である。図２は、釣り糸の結線用具を示す図であり、図２（Ａ）は正面図、図２（Ｂ）は上面図、図２（Ｃ）は下面図である。図３は、釣り糸の結線用具の正面断面の拡大図である。図４は、釣り糸の結線用具を用いて、結線前の準備作業を説明する正面断面図である。図５、図６、図７は、釣り糸の結線用具を用いた、結線作業を示す説明図である。図８は、結線作業において、メインラインとリーダーの状態を示す図である。図９は釣り糸の結線用具を用いた、仕上げ作業を示す説明図である。図１０は、釣り糸の結線用具を用いた、結線仕上げ作業終了後のメインラインとリーダーの状態を示す図である。【００１９】  図において、１００は釣り糸の結線用具であり、釣り糸の結線用具の軸１とリング２を備え、リング２が抜け落ちないように止め環３で構成されている。釣り糸の結線用具１００は比重があり、錆び難い材質（例えば、ステンレス鋼等）で形成されている。【００２０】  釣り糸の結線用具１００の軸１は、メインラインを通し易い穴ａが、回転振れを起こさないために軸方向に貫通しており、穴ａのメインラインの入り口と出口は、メインラインが擦れて断線しないように曲面の面取りがしてあり、外形は緩やかな角度Ｃで軸先端部から軸後部にかけテーパーである。また、遠心力によりテンションを加え、編み込み締め込むための適度な重量が必要であり、回転させ易く遠心力が加わり易い形状である。【００２１】  釣り糸の結線用具１００のリング２は、釣り糸の結線用具１００の軸１に対して、内径は緩やかな角度Ｃの逆テーパーであり、軸１のテーパーの角度Ｃと同じである。軸１が雄、リング２は雌となり、軸１とリング２の隙間にメインラインを数センチ入れ、軸１をリング２にスライドさせ押し込み合体すると、隙間に入っているメインラインｍは圧着され、軸１のテーパー部外径と、リング２のテーパー部内径の接触面の摩擦抵抗により、軸１とリング２は自己保持して抜けなくなり、メインラインを必要以上に使うこと無く、皮膚を傷つけることなく、安全に簡単に完全に保持、固定できる。メインラインを抜く場合はこの逆で、軸１をリング２より押し込んだ方向の逆方向に押せば、簡単にメインラインを抜き取ることが可能である。また軸１とリング２の全ての角は、メインラインを傷つけることが無いよう曲面の面取りが施されている。【００２２】  釣り糸の結線用具１００の止め環３は、軸１からリング２の脱落防止であり、この止め環３があることにより、軸１からリング２が外れることがないので、結線前の準備作業、結線作業、結線後の仕上げ作業が容易に行える。また軸１とリング２は、ある程度の隙間ｂがあるため、止め環３に当たり、カチカチと金属音がするため、釣り糸の結線用具を落とした場合や、カバン等何処にあるのか気がつき易く、夜釣りでは大変に役に立つと考えられる。【００２３】  上述のように構成された、本発明の釣り糸の結線用具１００を用いて結線前の準備作業での使用方法を、図４のＡ、Ｂ、Ｃ、に基づき説明する。まず結線前の準備であるが、釣り糸の結線用具１００の上面側穴ａより、メインラインｍを入れ（図４のＡ参照）、下面側穴ａよりメインラインｍを取り出す。そしてメインラインｍを、軸１とリング２の隙間ｂに入れ（図４のＢ参照）、軸１をリング２にスライドさせ押し込み、軸１とリング２を合体してメインラインを圧着して保持、固定する（図４のＣ参照）。ここまでの作業で結線前の準備作業は終了である。【００２４】  本発明の釣り糸の結線用具１００は、図５に示すように、まずリーダーｒを片手に持ち、もう一方の手にはリーダーｒとメインラインｍを合わせ持ち、両手の隙間が約２ｃｍから１０ｃｍ程で、メインラインｍとリーダーｒの強度により適度な垂らし長さｈで持ち、釣り糸の結線補助用具１００を用いて結線作業を行う。【００２５】  本発明の釣り糸の結線用具１００は、図６に示すように、リーダーｒの外周上を釣り糸の結線用具１００を力強くＸ矢印方向に回転させ、遠心力によりＹ矢印方向に進み、編み込み締め付け巻きつける。１０回から３０回ほど巻きつけた後、図７に示すように、同じ回転Ｘ方向で、リーダーｒ上に巻きつけたメインラインｍの外周表面上を、Ｚ矢印方向に戻りながら編み込み締め付け巻きつける。最初の巻き付け回数と、同回数ほど巻きつければ結線作業は終わりである。【００２６】  本発明の釣り糸の結線用具１００は、リーダーｒとメインラインｍのヨレを取り、次は仕上げ作業となる。釣り糸の結線用具１００に、メインラインｍは保持、固定されているので、釣り糸の結線用具１００を指で持ち、仕上げ作業のハーフヒッチ、エンドノットを図９に示す様に行うので、力を容易に加えられ、簡単でなおかつ、力強く編み込み締め込むことが可能である。【００２７】  本発明の釣り糸の結線用具１００は、図９に示す様に、釣り糸の結線用具１００を用いてハーフヒッチ、エンドノットが可能である。また、力強く編み込み締め込むことが可能なため、仕上げ作業はリーダーｒの外周表面上で、ハーフヒッチは５回から１０回程、右入れ左入れを交互に行い、図１０に示す様にエンドノットで完了するのが最良である。なぜならば、釣り糸の結線用具１００を用いて仕上げ作業を行うので、力強く編み込み締め込みが可能になり、リーダーｒの外周表面に、強く食い込み段をつけることとなり、その段にメインラインｍが強く食い込み、抜け難くなる。またＰＲノットは、仕上げ作業の最後の作業において、メインラインｍである、ＰＥラインのみを幾多にも交互に編み込むがＰＥラインは非常に熱に弱く、ＰＥラインのみを幾多にも編み込み締め込むことにより、編み込み部分のＰＥラインが摩擦による熱で強度が低下するのである。
【符号の説明】
【００２８】１００    釣り糸の結線用具
１        軸
２        リング
３        止め環
ａ        穴
ｂ        隙間
ｍ        メインライン
ｒ        リーダー
ｈ        垂らし長さ
Ｘ        回転方向
Ｙ        矢印進行方向
Ｚ        矢印進行方向
Ｃ        角度
【図１】
2017086057.tif 000003
【図２】
2017086057.tif 000004
【図３】
2017086057.tif 000005
【図４】
2017086057.tif 000006
【図５】
2017086057.tif 000007
【図６】
2017086057.tif 000008
【図７】
2017086057.tif 000009
【図８】
2017086057.tif 000010
【図９】
2017086057.tif 000011
【図１０】
2017086057.tif 000012